(57)【要約】【課題】  アンカーの外径に対する下穴の穿孔径の推奨値を維持しつつ、後施工アンカーが円滑に挿入可能な下穴を形成することができる整形用ドリルビット等を提供する。【解決手段】  下穴用ドリルビット３０の回転と打撃とにより穿孔された後施工アンカーＡ用の下穴Ｈを、研削により整形する整形用ドリルビット１０であって、軸方向に所定の長さを有し、下穴Ｈの内周面を研削により整形する整形用ビット部１１と、整形用ビット部１１を支持するシャンク部１２と、を備え、整形用ビット部１１の径は、下穴用ドリルビット３０の径と同径に形成されている。【選択図】  図１
2017113889.tif 000002
【特許請求の範囲】
【請求項１】
下穴用ドリルビットの回転と打撃とにより穿孔された後施工アンカー用の下穴を、研削により整形する整形用ドリルビットであって、
軸方向に所定の長さを有し、前記下穴の内周面を研削により整形する整形用ビット部と、
前記整形用ビット部を支持するシャンク部と、を備え、
前記整形用ビット部の径は、前記下穴用ドリルビットの径と同径に形成されていることを特徴とする整形用ドリルビット。
【請求項２】
前記整形用ビット部の先端部は、狭窄形状に形成されていることを特徴とする請求項１に記載の整形用ドリルビット。
【請求項３】
前記整形用ビット部は、
前記シャンク部に支持されたビット本体と、
前記ビット本体の外周面に突設され、周方向に均等に配置された複数の切刃部と、を有していることを特徴とする請求項１または２に記載の整形用ドリルビット。
【請求項４】
前記ビット本体は、円柱状に形成され、
前記複数の切刃部は、前記ビット本体に対し平歯状またははす歯状に突設されていることを特徴とする請求項３に記載の整形用ドリルビット。
【請求項５】
回転と打撃とにより後施工アンカー用の下穴を穿孔する下穴用ビット部と、
前記下穴用ビット部のシャンク部に同軸上に取り付けられ、前記下穴の内周面を研削により整形する整形用ビット部と、を備え、
前記整形用ビット部の径は、前記下穴用ビット部の径と同径に形成されていることを特徴とする複合ドリルビット。
【請求項６】
前記整形用ビット部の先端部は、狭窄形状に形成されていることを特徴とする請求項５に記載の複合ドリルビット。
【請求項７】
前記整形用ビット部は、
前記シャンク部に取り付けられたビット本体と、
前記ビット本体の外周面に突設され、周方向に均等に配置された複数の切刃部と、を有していることを特徴とする請求項５または６に記載の複合ドリルビット。
【請求項８】
前記ビット本体は、円筒状に形成され、
前記複数の切刃部は、前記ビット本体に対し平歯状またははす歯状に突設されていることを特徴とする請求項７に記載の複合ドリルビット。
【発明の詳細な説明】
【技術分野】
【０００１】
本発明は、ハンマードリルや振動ドリル等で穿孔した、アンカー用の下穴を整形する整形用ドリルビットおよび複合ドリルビットに関するものである。
【背景技術】
【０００２】
コンクリート躯体等に打ち込まれる後施工アンカーには、金属拡張アンカーや接着系アンカーが広く用いられている。金属拡張アンカーに分類される後施工アンカーには、例えばねじふし鉄筋をアンカー本体とするものが知られている（特許文献１参照）。
この後施工アンカーは、ねじふし鉄筋で構成されたアンカー本体と、アンカー本体の先端部に螺合したテーパー形状のコーンナットと、アンカー本体に挿着したスリーブおよび拡張部材と、を備えている。
この後施工アンカーの施工方法では、先ずコンクリート構造体に対し下穴用ドリルビットを用いてアンカー穴（下穴）を穿孔し、さらにアンダーカッターを用いてアンカー穴の穴底近傍に拡径部を形成する。次に、このアンカー穴に後施工アンカーを挿入し、打込み棒でスリーブおよび拡張部材を打ち込む。これにより、拡張部材が拡張して拡径部に圧接され、後施工アンカーがコンクリート構造体に定着される。
【先行技術文献】
【特許文献】
【０００３】
【特許文献１】特開２００１−３０３６７７号公報
【発明の概要】
【発明が解決しようとする課題】
【０００４】
このような、従来の後施工アンカーの施工方法では、下穴用ドリルビット（例えば超硬ドリルビット）を、ハンマードリルや振動ドリルに装着してアンカー用の下穴（アンカー穴）が穿孔される。ハンマードリルや振動ドリルは、ダイヤモンドコアドリル等と比較して穿孔スピードが速いという利点はあるものの、回転と軸方向の打撃とによりコンクリートを砕きながら穿孔が行われるため、打撃時の衝撃により下穴用ドリルビットの先端がブレ易い（振れ回り）問題がある。
このため、特に下穴の開口部側において、軸方向の直線性や断面方向の形状性（楕円状となる）が損なわれることがある。一方で、後施工アンカーの定着性の観点から、アンカーの外径に対し下穴の穿孔径（下穴用ドリルビットの径）を、０．５〜１．０ｍｍ程度大きい径とすることが推奨されている。このため、穿孔した下穴に対し後施工アンカーが挿入不能となってしまう問題があった。この場合、ドリルビットをこじって下穴を広げることが行われており、後施工アンカーの定着性の悪化やドリルビットの破損を招いている。
【０００５】
本発明は、アンカーの外径に対する下穴の穿孔径の推奨値を維持しつつ、後施工アンカーが円滑に挿入可能な下穴を形成することができる整形用ドリルビットおよび複合ドリルビットを提供することを課題としている。
【課題を解決するための手段】
【０００６】
本発明の整形用ドリルビットは、下穴用ドリルビットの回転と打撃とにより穿孔された後施工アンカー用の下穴を、研削により整形する整形用ドリルビットであって、軸方向に所定の長さを有し、下穴の内周面を研削により整形する整形用ビット部と、整形用ビット部を支持するシャンク部と、を備え、整形用ビット部の径は、下穴用ドリルビットの径と同径に形成されていることを特徴とする。
【０００７】
この構成によれば、整形用ビット部が所定の長さを有し、且つ下穴用ドリルビットの径（下穴の穿孔径）と同径に形成されているため、整形用ビット部により下穴の内周面を研削することにより、直線性および真円度の高い下穴に整形することができる。これにより、後施工アンカーが円滑に挿入可能な下穴を形成することができる。なお、整形用ビット部は、ダイヤモンドの切刃であってもよいし、超硬の切刃であってもよい。また、上記の「挿入可能」は、ハンマーで軽く叩き込む一般的な挿入方法を含む概念である。
【０００８】
この場合、整形用ビット部の先端部は、狭窄形状に形成されていることが好ましい。
【０００９】
この構成によれば、整形用ビット部は、その先端部により下穴への挿入および下穴内での移動がガイドされる。このため、下穴に対する適切な整形を円滑に行うことができる。
【００１０】
また、整形用ビット部は、シャンク部に支持されたビット本体と、ビット本体の外周面に突設され、周方向に均等に配置された複数の切刃部と、を有していることが好ましい。
【００１１】
この構成によれば、隣接する切刃部の間から切削粉を逃がすことができ、目詰まりの生じ難い整形用ビット部を構成することができる。なお、切刃部は、ビット本体と一体に形成されていてもよいし、ビット本体に埋め込まれたチップ状のもの（いわゆる「付け刃ドリル」）であってもよい。
【００１２】
この場合、ビット本体は、円柱状に形成され、複数の切刃部は、ビット本体に対し平歯状またははす歯状に突設されていることが好ましい。
【００１３】
この構成によれば、下穴をほぼ真円となる形状に整形することができる。また、切刃部がはす歯状のものは、切削抵抗が小さく且つ切削粉の排出を促進することができる。
【００１４】
本発明の複合ドリルビットは、回転と打撃とにより後施工アンカー用の下穴を穿孔する下穴用ビット部と、下穴用ビット部のシャンク部に同軸上に取り付けられ、下穴の内周面を研削により整形する整形用ビット部と、を備え、整形用ビット部の径は、下穴用ビット部の径と同径に形成されていることを特徴とする。
【００１５】
この構成によれば、整形用ビット部は下穴用ビット部のシャンク部に取り付けられ、且つ下整形用ビット部の径と下穴用ビット部の径とが同径に形成されているため、整形用ビット部は、下穴用ビット部により穿孔された直後の下穴（の内周面）を研削することになる。この場合、下穴の穿孔に際しては、整形用ビット部が下穴用ビット部をガイドし、下穴の整形に際しては、下穴用ビット部が整形用ビット部をガイドする。このため、直線性および真円度の高い下穴を形成することができる。これにより、後施工アンカーが円滑に挿入可能な下穴を形成することができる。なお、整形用ビット部は、ダイヤモンドの切刃であってもよいし、超硬の切刃であってもよい。また、上記の「挿入可能」は、ハンマーで軽く叩き込む一般的な挿入方法を含む概念である。
【００１６】
この場合、整形用ビット部の先端部は、狭窄形状に形成されていることが好ましい。
【００１７】
この構成によれば、整形用ビット部は、その先端部により下穴への挿入および下穴内での移動がガイドされる。このため、下穴に対し適切や整形を円滑に行うことができる。
【００１８】
また、整形用ビット部は、シャンク部に取り付けられたビット本体と、ビット本体の外周面に突設され、周方向に均等に配置された複数の切刃部と、を有していることが好ましい。
【００１９】
この構成によれば、隣接する切刃部の間から切削粉を逃がすことができ、目詰まりの生じ難い整形用ビット部を構成することができる。なお、切刃部は、ビット本体と一体に形成されていてもよいし、ビット本体に埋め込まれたチップ状のもの（いわゆる「付け刃ドリル」）であってもよい。
【００２０】
この場合、ビット本体は、円筒状に形成され、複数の切刃部は、ビット本体に対し平歯状またははす歯状に突設されていることが好ましい。
【００２１】
この構成によれば、下穴の開口部側をほぼ真円となる形状に整形することができる。また、切刃部がはす歯状のものは、切削抵抗が小さく且つ切削粉の排出を促進することができる。
【図面の簡単な説明】
【００２２】
【図１】実施形態に係る整形用ドリルビットの斜視図である。
【図２】実施形態に係る整形用ドリルビットの半部断面図である。
【図３】整形用ドリルビットを用いて行われる後施工アンカーの施工方法の説明図である。
【図４】第２実施形態に係る整形用ドリルビットの斜視図である。
【図５】実施形態に係る複合ドリルビットの半部断面図である。
【図６】複合ドリルビットを用いて行われる後施工アンカーの施工方法の説明図である。
【発明を実施するための形態】
【００２３】
以下、添付の図面を参照して、本発明の一実施形態に係る整形用ドリルビットおよび複合ドリルビットについて説明する。整形用ドリルビットは、ハンマードリルや振動ドリル等で穿孔した後施工アンカー（金属拡張アンカー）用の下穴を整形するものであり、複合ドリルビットは、下穴用ドリルビット（超硬ドリルビット）に、補助ビットとして整形用ドリルビットを付加したものである。
【００２４】
図１は実施形態に係る整形用ドリルビットの斜視図、図２はその半部断面図である。両図に示すように、整形用ドリルビット１０は、下穴Ｈの内周面を研削により整形する整形用ビット部１１と、整形用ビット部１１を同軸上に支持するシャンク部１２とを備えている。シャンク部１２は、整形用ビット部１１に対し細径に形成され、その基端部は、電動ドリル（例えば充電ドライバドリル）のチャックに合わせて丸軸、六角軸、ＳＤＳプラス軸等で構成されている（図示のものは「丸軸」）。
【００２５】
整形用ビット部１１は、シャンク部１２に支持されたビット本体２１と、ビット本体２１の外周面に突設された複数（実施形態のものは４つ）の切刃部２２とを有している。４つの切刃部２２は、ビット本体２１の外周部に埋め込まれており、整形用ビット部１１は、いわゆる「付け刃ドリル」の形態を有している。そして、シャンク部１２を中心とする４つの切刃部２２の回転軌跡の直径が、整形用ドリルビット１０（整形用ビット部１１）の径Ｄとなっている（図２参照）。
【００２６】
ビット本体２１は、スチールやステンレス等で円柱状に形成されている。また、ビット本体２１は、軸方向に所定の長さ、例えば下穴Ｈの穿孔深さの１／５〜１／３の長さに形成されている。これにより、直線性の高い下穴Ｈの整形が可能となる。なお、本実施形態のビット本体２１は、シャンク部１２と一体に形成されているが、これを別体としてもよい。例えば、シャンク部１２とビット本体２１とを、ねじ締め、溶接（ろう接）、焼嵌め等により接合する。
【００２７】
４つの切刃部２２は、ビット本体２１の外周部において周方向に均等配置されており、ビット本体２１に対し平歯状の形態を有している。各切刃部２２は、超硬合金のチップで構成されており、ビット本体２１の外周部に埋め込まれている。より具体的には、ビット本体２１の外周部には、切刃部２２の幅に対応する溝が形成されており、切刃部２２は、この溝に径方向の略半部を挿入するようにして溶着（例えば「ろう付け」）されている。
【００２８】
言うまでもないが、各切刃部２２の切っ先は、整形用ビット部１１の回転方向に対し、所定のすくい角および逃げ角を有している。これにより、下穴Ｈの内周面が適切に研削され、下穴Ｈが所望の形状に整形される。また、各切刃部２２の先端部には、軸側に向かう傾斜面２２ａが形成されており、整形用ビット部１１の先端部は、全体として狭窄形状に形成されている。これにより、整形用ビット部１１は、ブレることなく下穴Ｈに適切に案内され、下穴Ｈの整形が円滑に行われる。
【００２９】
なお、ビット本体２１と複数の切刃部２２とは一体に形成されていてもよい。かかる場合には、ビット本体２１を円筒状とすることが好ましい。また、切刃部２２に倣って、ビット本体２１の先端部がテーパー状に形成されていてもよい。
【００３０】
一方、詳細は後述するが、整形用ビット部１１の径Ｄ（整形用ドリルビット１０の呼び径）は、下穴Ｈを穿孔する下穴用ドリルビット３０の超硬チップ３１の径Ｄ（下穴用ドリルビット３０の呼び径）と同径に形成されている（図２参照）。すなわち、下穴Ｈをハンマードリルや振動ドリル（下穴用ドリルビット３０）で穿孔すると、下穴Ｈの開口部側は軸方向の直線性や断面方向の形状性（楕円状となる）が損なわれる。そこで、整形用ドリルビット１０により、特に開口部側を研削（整形）して下穴Ｈの直線性や真円度を高め得るようにしている。
【００３１】
ここで、図３を参照して、本実施形態の整形用ドリルビット１０を用いる後施工アンカーＡの一連の施工手順（施工方法）について説明する。この施工方法では、コンクリート躯体Ｃに下穴Ｈを穿孔する穿孔工程（同図（ａ）および（ｂ）参照）と、穿孔した下穴Ｈを整形する整形工程（同図（ｃ）参照）と、整形した下穴Ｈに後施工アンカーＡを挿填する挿填工程（同図（ｄ）参照）と、後施工アンカーＡを打ち込む定着工程（同図（ｅ）参照）と、を備えている。なお、図示では省略したが、この施工方法では、整形工程と挿填工程との間において、下穴Ｈの奥部に拡径部Ｈａを形成する拡径工程をも備えている。
【００３２】
図３（ａ）および（ｂ）の穿孔工程では、図外のハンマードリルや振動ドリルに下穴用ドリルビット３０を装着し、コンクリート躯体Ｃに所望の深さの下穴Ｈを穿孔する。ハンマードリルや振動ドリルは、回転と軸方向の打撃とによりコンクリートを砕きながら穿孔を行う穿孔装置であり、これに用いる下穴用ドリルビット３０には、いわゆるコンクリート用ドリルビットが用いられる。この場合、下穴用ドリルビット３０の径は、後施工アンカーＡの外径より０．５〜１．０ｍｍ大きい径としている。
【００３３】
図３（ｃ）の整形工程では、下穴用ドリルビット３０と同径の整形用ドリルビット１０を、図外の電動ドリル（回転、或いは回転＋周方向の打撃）に装着して下穴Ｈの整形を行う。下穴Ｈの整形では、整形用ドリルビット１０の整形用ビット部１１を、下穴Ｈの開口部側を中心に１〜２往復させる。整形工程が終了したら下穴Ｈの清掃を行うが、実施形態のものは、拡径用ドリルビットを用いて拡径部Ｈａを形成する（図示省略）。この拡径部Ｈａの形成では、冷却液を供給しながら研削が行われ、研削粉が冷却液により外部に押し流されるため、下穴Ｈの清掃は省略される。
【００３４】
図３（ｄ）の挿填工程では、後施工アンカーＡを下穴Ｈに挿填する。この場合、下穴Ｈは、整形用ドリルビット１０により適切な形状に整形されており、後施工アンカーＡは、無理なく下穴Ｈに挿填される。もっとも、製造上の誤差等により、投入した後施工アンカーＡが穴底に達しない場合には、後施工アンカーＡをハンマー等で軽くたたき入れるようにする。なお、図示の後施工アンカーＡは、スリーブ打込み式のものであり、全ねじのアンカー本体Ａａと、アンカー本体Ａａが挿通するスリーブＡｂと、アンカー本体Ａａの先端部に螺合したコーンナットＡｃと、で構成されている。
【００３５】
図３（ｅ）の定着工程では、専用の打込み棒Ｒを用い、ハンマー等によりスリーブＡｂを打ち込むようにする。スリーブＡｂが打ち込まれると、コーンナットＡｃによりスリーブＡｂの拡開部が開いて下穴Ｈの拡径部Ｈａに圧接される。これにより、後施工アンカーＡが下穴Ｈに定着され、後施工アンカーＡはこれに作用する引抜き力に対しクサビ効果を発揮する。
【００３６】
以上のように、本実施形態（第１実施形態）の整形用ドリルビット１０では、整形用ビット部１１が所定の長さを有し、且つ下穴用ドリルビット３０（下穴Ｈの穿孔径）と同径に形成されているため、整形用ビット部１１により下穴Ｈの内周面を研削することにより、直線性および真円度の高い下穴Ｈに整形することができる。これにより、後施工アンカーＡが円滑に挿入可能な下穴Ｈを形成することができる。加えて、上記の拡径用ドリルビットも後施工アンカーＡと同径に形成されているため、拡径用ドリルビットも下穴Ｈに円滑に挿入可能となり、全体として作業性を向上させることができる。
【００３７】
なお、本実施形態では、整形用ビット部１１における切刃部２２の数を４つとしたが、これに限定されるものではなく、２つ以上であればよい。もっとも、整形用ビット部１１は、ビット本体２１の外周面にダイヤモンドを塗着したダイヤモンドの切刃で構成してもよい。
【００３８】
次に、図４を参照して、整形用ドリルビット１０Ａの第２実施形態について説明する。この実施形態では、主に第１実施形態と異なる部分について説明する。
この実施形態の整形用ドリルビット１０Ａでは、その整形用ビット部１１において、４つの切刃部２２がビット本体２１に対しはす歯の形態を有している。すなわち、この整形用ドリルビット１０Ａでは、４つ（複数）の切刃部２２が、軸線に対し斜めに傾いた状態でビット本体２１に埋め込まれている。
【００３９】
このように、第２実施形態の整形用ドリルビット１０Ａにおいても、整形用ビット部１１により、直線性および真円度の高い下穴Ｈに整形することができる。特にこの場合には、回転する切刃部２２が研削粉を排出するように機能するため、目詰まり等を抑制することができる。
【００４０】
次に、図５を参照して、実施形態に係る複合ドリルビット５０について説明する。この複合ドリルビット５０は、後施工アンカーＡ用の下穴Ｈを穿孔する下穴用ビット部５１と、下穴用ビット部５１のシャンク部６１に取り付けられ、下穴Ｈを研削により整形する整形用ビット部５２と、を備えている。この場合、下穴用ビット部５１は第１実施形態の下穴用ドリルビット３０に相当し、整形用ビット部５２は第１実施形態の整形用ドリルビット１０の整形用ビット部１１に相当する。すなわち、複合ドリルビット５０は、補助ビットとして整形用ビット部５２を同軸上に取り付けた下穴用ドリルビット３０（コンクリート用ドリルビット）の形態を有している。
【００４１】
下穴用ビット部５１は、シャンク部６１と、シャンク部６１に連なる螺旋状の逃がし溝６２ａを有する切刃本体６２と、切刃本体６２の先端部に埋め込んだ超硬チップ６３と、を有している。シャンク部６１は、丸軸、六角軸、ＳＤＳプラス軸等で構成された軸部６１ａと、軸部６１ａに連なり整形用ビット部５２が取り付けられる雄ねじ部６１ｂと、雄ねじ部６１ｂに連なる段部６１ｃと、を有している。シャンク部６１は、軸部６１ａ、雄ねじ部６１ｂ、段部６１ｃの順で太径に形成されているが、切刃本体６２に対しては十分に細径に形成されている。
【００４２】
切刃本体６２は、コンクリートの研削粉を排出するための螺旋状の２条の逃がし溝６２ａを有している。また、切刃本体６２の先端部には、コンクリートを粉砕しながら穿孔する超硬チップ６３が埋め込まれている（付け刃ドリル）。すなわち、切刃本体６２の先端部には、超硬チップ６３に対応する溝が形成されており、超硬チップ６３は、この溝に一部を挿入するようにして溶着（例えば「ろう付け」）されている。
【００４３】
そして、回転する超硬チップ６３における輪郭の直径が、下穴用ビット部５１の径Ｄ、言い換えれば下穴Ｈの穿孔径となっている。
【００４４】
整形用ビット部５２は、第１実施形態の整形用ビット部１１と同様に、シャンク部６１に支持されたビット本体７１と、ビット本体７１の外周部に埋め込まれた（突設された）４つの切刃部７２とを有している。この場合のビット本体７１は、円筒状に形成されており、ビット本体７１の内周面には、シャンク部６１の雄ねじ部６１ｂに螺合する雌ねじ部７１ａが形成されている。整形用ビット部５２を、その雌ねじ部７１ａの部分でシャンク部６１の雄ねじ部６１ｂに螺合することで、同軸上において整形用ビット部５２がシャンク部６１に取り付けられる。なお、整形用ビット部５２のシャンク部６１への取り付けは、溶接（ろう接）等であってもよい。
【００４５】
この場合も、シャンク部６１を中心とする４つの切刃部７２の回転軌跡の直径が、整形用ビット部５２の径Ｄとなっている（図５参照）。そして、整形用ビット部５２の径Ｄは、下穴用ビット部５１の径Ｄと同径に形成されている。すなわち、実施形態の複合ドリルビット５０の径＝Ｄであり、これによりハンマードリルや振動ドリルによる下穴Ｈの穿孔と同時並行で、下穴Ｈの開口部側の整形（研削）が行われる。
【００４６】
なお、詳細は後述するが、本実施形態の複合ドリルビット５０では、下穴Ｈの穿孔および整形に際し、整形用ビット部５２が下穴用ビット部５１の穿孔をガイドする一方、下穴用ビット部５１が整形用ビット部５２の整形をガイドすることになる。このため、ビット本体７１（整形用ビット部５２）の長さは、第１実施形態のビット本体２１ほど長くなくてもよい。
【００４７】
ここで、図６を参照して、本実施形態の複合ドリルビット５０を用いる後施工アンカーＡの一連の施工手順（施工方法）について説明する。この施工方法では、コンクリート躯体Ｃに下穴Ｈを穿孔すると同時に下穴Ｈを整形する穿孔・整形工程（同図（ａ）および（ｂ）参照）と、形成した下穴Ｈに後施工アンカーＡを挿填する挿填工程（同図（ｃ）参照）と、後施工アンカーＡを打ち込む定着工程（同図（ｄ）参照）と、を備えている。なお、この場合も、整形工程と挿填工程との間において、下穴Ｈの奥部に拡径部Ｈａを形成する拡径工程をも備えている（図示省略）。
【００４８】
図６（ａ）および（ｂ）の穿孔・整形工程では、図外のハンマードリルや振動ドリルに複合ドリルビット５０を装着し、コンクリート躯体Ｃに所望の深さの下穴Ｈを穿孔すると共に穿孔した下穴Ｈ部分を整形する。複合ドリルビット５０の構造上、下穴Ｈの穿孔が下穴Ｈの整形に先行して行われる。すなわち、下穴用ビット部５１による下穴Ｈの穿孔が進んでいくと、途中から整形用ビット部５２が穿孔した下穴Ｈに入り込んでゆく。下穴用ビット部５１は、ある程度穿孔が進むと（切刃本体６２がほぼ下穴Ｈに没する状態）安定した穿孔状態に移行し、整形用ビット部５２の整形をガイドすることになる。また、整形用ビット部５２が穿孔した下穴Ｈに入り込んでゆくと、整形用ビット部５２が下穴用ビット部５１の穿孔をガイドすることにもなる。
【００４９】
このようにして、所望の深さまで下穴Ｈが穿孔される（穿孔完了）と、整形用ビット部５２は、下穴Ｈの全深さの１／３程度の深さに達する。すなわち、この場合には、下穴Ｈの開口部から１／３程度の深さまで、整形用ビット部５２による整形が行われることになる。これにより、穿孔が不適切になりがちな下穴Ｈの開口部側が、適切なものに整形される。なお、この場合も、複合ドリルビット５０の径Ｄは、後施工アンカーＡの外径より０．５〜１．０ｍｍ大きい径としている。また、拡径用ドリルビットを用いて拡径部Ｈａを形成するようにしている。
【００５０】
図６（ｃ）の挿填工程および図６（ｄ）の挿填工程は、第１実施形態と同様であるため（図３（ｄ）および（ｅ）参照）、ここでの説明は省略する。
【００５１】
以上のように、本実施形態の複合ドリルビット５０によれば、整形用ビット部５２の径が下穴用ビット部５１の径（下穴Ｈの穿孔径）と同径に形成されているため、下穴Ｈの穿孔動作に伴って下穴Ｈを直線性および真円度の高いものに整形することができる。これにより、後施工アンカーＡ等が円滑に挿入可能な下穴Ｈを形成することができる。なお、この場合も、整形用ビット部５２における切刃部７２の数は、２つ以上であればよい。また、整形用ビット部５２をダイヤモンドの切刃であってもよい。
【００５２】
なお、図示しないが、複合ドリルビット５０において、整形用ビット部５２が、はす歯の形態を有しているものであってもよい。この場合には、下穴用ビット部５１の切刃本体６２により送り出された切削粉が、整形用ビット部５２の切刃部７２によりさらに下穴Ｈの開口部まで導かれる。また、整形用ビット部５２に生ずるスラスト荷重（軸方向の分力）が、複合ドリルビット５０に加える押圧力を補完することとなる。
【符号の説明】
【００５３】
１０，１０Ａ…整形用ドリルビット、１１…整形用ビット部、１２…シャンク部、２１…ビット本体、２２…切刃部、３０…下穴用ドリルビット、３１…超硬チップ、５０…複合ドリルビット、５１…下穴用ビット部、５２…整形用ビット部、６１…シャンク部、６２…切刃本体、６３…超硬チップ、７１…ビット本体、７２…切刃部、Ａ…後施工アンカー、Ｃ…コンクリート躯体、Ｄ…径、Ｈ…下穴
【図１】
2017113889.tif 000003
【図２】
2017113889.tif 000004
【図３】
2017113889.tif 000005
【図４】
2017113889.tif 000006
【図５】
2017113889.tif 000007
【図６】
2017113889.tif 000008